(57)【要約】    【課題】再生された一連の動画像の中から迅速且つ容易に所望の静止画像を抽出することができる画像再生装置を提供する。    【解決手段】再生モードで磁気テープを再生中に、操作者が所望の静止画像が到来したと判断したときに画像取り込みボタンを押し、そのとき取り込まれた画像を基準にして、その前後の静止画像を任意の時間間隔毎に抽出してマルチ画面で表示する。前記任意の時間間隔は、基準の静止画像から遠くに行くほど段階的に大きくなるように設定し、その時間間隔をＵＰ／ＤＯＷＮボタン４１，４２の操作回数に応じて変更可能に構成する。ＵＰ／ＤＯＷＮボタン４１，４２を操作して、表示する画像の時間間隔を変更して、所望の静止画像に近い画像を検出して選択し、さらに絞り込みを続けて、メモリカード２５に保存したい所望の静止画像を見つけ出すようにする。【選択図】      図２
2006333216.tif 000002
【特許請求の範囲】
【請求項１】
動画像を再生する再生手段と、
前記再生手段で再生された一連の動画像の中から基準の静止画像を抽出する基準画像抽出手段と、
前記基準の静止画像から任意の時間間隔毎にその周辺の静止画像を抽出する周辺画像抽出手段と、
前記基準の静止画像及び前記周辺の静止画像を表示画面に表示する表示制御手段と、
前記時間間隔を変更する変更手段とを備えたことを特徴とする画像再生装置。
【請求項２】
前記時間間隔は、前記基準の静止画像から離れる方向に段階的に大きくなるように設定したことを特徴とする請求項１に記載の画像再生装置。
【請求項３】
前記表示制御手段により前記表示画面に表示された画像の中から所定の画像を選択する選択手段と、
前記選択手段で選択された画像を出力する画像出力手段とを更に有することを特徴とする請求項１又は２のいずれかに記載の画像再生装置。
【請求項４】
動画像を再生する画像再生装置の画像抽出方法であって、
再生された一連の動画像の中から基準の静止画像を抽出する基準画像抽出工程と、
前記基準の静止画像から任意の時間間隔毎にその周辺の静止画像を抽出する周辺画像抽出工程と、
前記基準の静止画像及び前記周辺の静止画像を表示画面に表示する表示制御工程と、
前記時間間隔を変更する変更工程と、
前記表示制御工程により前記表示画面に表示された画像の中から所定の画像を選択する選択工程と、
前記選択工程で選択された画像を出力する画像出力工程とを有することを特徴とする画像再生装置の画像抽出方法。
【請求項５】
動画像を再生する画像再生装置の画像抽出方法を実行するための、コンピュータで読み取り可能な制御プログラムであって、
再生された一連の動画像の中から基準の静止画像を抽出する基準画像抽出ステップと、
前記基準の静止画像から任意の時間間隔毎にその周辺の静止画像を抽出する周辺画像抽出ステップと、
前記基準の静止画像及び前記周辺の静止画像を表示画面に表示する表示制御ステップと、
前記時間間隔を変更する変更ステップと、
前記表示制御ステップにより前記表示画面に表示された画像の中から所定の画像を選択する選択ステップと、
前記選択ステップで選択された画像を出力する画像出力ステップとを有することを特徴とする制御プログラム。
【発明の詳細な説明】
【技術分野】
【０００１】
本発明は、ビデオカメラ等の画像再生装置及びその画像抽出方法、並びに前記画像抽出方法を実現するための制御プログラムに関する。
【背景技術】
【０００２】
従来、ビデオカメラには、磁気テープに記録した動画像からフレーム画像（静止画像）を取り込む機能（静止画像キャプチャ機能）を備えたものがある。この静止画像キャプチャ機能による静止画像の取り込み方法は、磁気テープに記録した動画像を再生中に、キャプチャボタンを押したタイミングで静止画像を取り込むというものである。
【０００３】
また、長時間撮影した動画像の中から所望の静止画像を取り出す画像再生装置も提案されている（例えば特許文献１参照）。この画像再生装置では、記録した映像全体を２つ以上のグループに分割する画像分割機能と静止画を表示する表示機能を備えている。即ち、動画再生中に任意の時間で動画像を全体の９分割したときのそれぞれ最初の画像を表示し、さらに、分割した画像を選択すると一定間隔の時系列で９分割した画像を再表示する。この動作を繰り返し所望の静止画像を抽出するというものである。
【特許文献１】特開２００３−３３３５３７号公報
【発明の開示】
【発明が解決しようとする課題】
【０００４】
しかしながら上記従来の静止画像キャプチャ機能では、動画像を再生中にキャプチャボタンを押したタイミングで静止画像を取り込むため、例えば動きの早いシーンでは、タイミングにずれが生ずることもあり、所望の静止画像を取り込むことは困難である。
【０００５】
また、特特許文献１の装置では、画像を分割していく抽出方法は有効であるものの、初期検索の際に、所望の静止画像が、分割した画像グループのどのグループに属しているを検出することが容易ではなく、所望の静止画像を抽出するのに多くの時間がかかる。
【０００６】
本発明は上記従来の問題点に鑑み、再生された一連の動画像の中から迅速且つ容易に所望の静止画像を抽出することができる画像再生装置及びその画像抽出方法、並びに制御プログラムを提供することを目的とする。
【課題を解決するための手段】
【０００７】
本発明は上記目的を達成するため、動画像を再生する再生手段と、前記再生手段で再生された一連の動画像の中から基準の静止画像を抽出する基準画像抽出手段と、前記基準の静止画像から任意の時間間隔毎にその周辺の静止画像を抽出する周辺画像抽出手段と、前記基準の静止画像及び前記周辺の静止画像を表示画面に表示する表示制御手段と、前記時間間隔を変更する変更手段とを備えたことを特徴とする。
【０００８】
また、本発明は、動画像を再生する画像再生装置の画像抽出方法であって、再生された一連の動画像の中から基準の静止画像を抽出する基準画像抽出工程と、前記基準の静止画像から任意の時間間隔毎にその周辺の静止画像を抽出する周辺画像抽出工程と、前記基準の静止画像及び前記周辺の静止画像を表示画面に表示する表示制御工程と、前記時間間隔を変更する変更工程と、前記表示制御工程により前記表示画面に表示された画像の中から所定の画像を選択する選択工程と、前記選択工程で選択された画像を出力する画像出力工程とを有することを特徴とする。
【０００９】
また、本発明は、動画像を再生する画像再生装置の画像抽出方法を実行するための、コンピュータで読み取り可能な制御プログラムであって、再生された一連の動画像の中から基準の静止画像を抽出する基準画像抽出ステップと、前記基準の静止画像から任意の時間間隔毎にその周辺の静止画像を抽出する周辺画像抽出ステップと、前記基準の静止画像及び前記周辺の静止画像を表示画面に表示する表示制御ステップと、前記時間間隔を変更する変更ステップと、前記表示制御ステップにより前記表示画面に表示された画像の中から所定の画像を選択する選択ステップと、前記選択ステップで選択された画像を出力する画像出力ステップとを有することを特徴とする。
【発明の効果】
【００１０】
本発明によれば、再生された一連の動画像の中から迅速且つ容易に所望の静止画像を抽出することが可能になる。
【発明を実施するための最良の形態】
【００１１】
本発明の画像再生装置及びその画像抽出方法、並びに制御プログラムの実施の形態について、図面を参照しながら説明する。
【００１２】
［第１の実施の形態］
＜装置の構成＞
図１は、本発明の第１の実施の形態に係る画像再生装置の構成を示すブロック図である。
【００１３】
この画像再生装置は、例えばビデオカメラの映像信号を再生する装置であり、システム制御部１１、操作部１２、信号処理部１３、表示部１４、再生部１５、テープドラム機構２１、及び機構制御部２２を備えている。システム制御部１１は、装置全体の動作を制御するもので、ＣＰＵ１１ａと、ＣＰＵ１１ａが実行する制御プログラムが格納されたＲＯＭ１１ｂと、ＣＰＵ１１ａのワークエリアとなるＲＡＭ１１ｃとを有している。
【００１４】
操作部１２は、システム制御部１１に対して使用者が種々の指示を入力するためのユーザ・インタフェースであり、画像取り込みボタン１２ａ等の各種の操作ボタンが配置されている。画像取り込みボタン１２ａは、再生中の映像信号（動画像）から所望の静止画像を抽出して、メモリカード等の記録媒体２５に記録するための操作ボタンである。
【００１５】
信号処理部１３は、再生モードでは磁気テープ等の記憶媒体２０から再生した映像信号を処理し表示部１４に表示する。再生部１５は、磁気テープ２０に磁気記録されている映像信号を再生する磁気ヘッドと、磁気ヘッドの出力を再生処理する再生処理回路と、再生処理回路の出力を一時記憶する記憶装置と、記憶装置からの再生データ（圧縮ビデオ信号）を伸長する伸長回路等から構成されている。
【００１６】
テープドラム機構２１は、磁気テープ２０の走行系と、磁気ヘッドを備えた回転ドラムの回転駆動系からなる。機構制御部２２はシステム制御部１１の制御下に、テープドラム機構２１を制御する。
【００１７】
なお、記録媒体２０は磁気テープの代わりに、磁気ディスクや、光ディスク、光磁気ディスクなどを使用することができる。また、本実施の形態に適用する動画像は、例えばＭＰＥＧ（Ｍｏｖｉｎｇ  Ｐｉｃｔｕｒｅ  Ｅｘｐｅｒｔｓ  Ｇｒｏｕｐ）の規格に準拠した画像データとする。
【００１８】
＜第１の実施の形態の動作＞
次に、上述のように構成される本実施の形態に係る画像再生装置の動作について、図２を用いて説明する。図２は、本発明の第１の実施の形態に係る動作を示すフローチャートであり、ＣＰＵ１１ａが、このフローに基づいた制御プログラムをＲＯＭ１１ｂから読み出して実行する。
【００１９】
まず、再生モードで、磁気テープ２０に記録されている映像信号を表示部１４の画面に再生中（ステップＳ１０１）に、操作者が所望の静止画像が到来したと判断したときに画像取り込みボタン１２ａを押す（ステップＳ１０２）。これを受けて、システム制御部１１は、磁気テープ２０からの動画再生を停止し、画像取り込みボタン１２ａが押されたタイミングの再生画像を抽出し、この抽出画像に、図３に示すような、「ＯＫ」ボタン３１と「Ｒｅ−ｓｅｌｅｃｔ」ボタン３２による条件判断表示を加えた画像３０を表示部１４の画面全体に表示する（ステップＳ１０３）。抽出される再生画像（静止画像）は、磁気テープ２０から再生され不図示のバッファメモリに保持された再生データから１画面分読み出して表示される。
【００２０】
その後、操作者が前記抽出画像を保存すると判断して「ＯＫ」ボタン３１を選択した場合は（ステップＳ１０４）、システム制御部１１は、処理を後述するステップＳ１１４へ進ませる。一方、操作者が前記抽出画像を保存しないと判断、つまり前記抽出画像以外の画像を再度検索したいと判断して「Ｒｅ−ｓｅｌｅｃｔ」ボタン３２を選択した場合は（ステップＳ１０４）、磁気テープ２０から動画再生を行って、不図示のバッファメモリにステップＳ１０３で抽出された再生画像の前後の再生データを蓄積したうえで、前記抽出画像から任意の時間間隔毎にその前後の静止画像を抽出して表示するマルチ画面表示に、表示部１４の画面を切り替える（ステップＳ１０５）。
【００２１】
ここで、このマルチ画面表示について説明する。マルチ表示画面は縮小された所定数の静止画像を表示する画面である。なお、本実施形態ではマルチ画面を用いた例で説明するが、抽出した静止画像の表示形態はマルチ画面に限らず、複数の静止画像を別画面で選択的に表示させるような形態であっても良い。
【００２２】
マルチ画面表示では、図４に示すように、前記抽出画像を基準の静止画像Ａとして表示画像群の中心に配置されるように表示する。さらに、前画像（１）〜（４）及び後画像（１）〜（４）は、図５に示すように画像Ａを基準とし、時間として戻る方向に前画像（４），（３），（２），（１）の順番で表示し、時間として進む方向に後画像（１），（２），（３），（４）の順番で表示する。
【００２３】
これら各画像間の抽出時間の間隔は、一定にするのではなく、例えば図５に示すように、０．１ｓ，０．５ｓ，１．０ｓ，３．０ｓのように段階的に大きくなるように設定されている。即ち、基準の静止画像Ａから遠くにある画像ほど時間差を大きくして抽出する。このような方法を採るのは、次のような理由からである。即ち、一定間隔で画像を抽出していく方法であると動きの遅いシーンの場合に何回も抽出作業の繰り返しを行わなくてはならず多くの時間と手間がかかるので、これを回避すべく、動きの遅いシーンでも迅速に所望の静止画像を抽出できるようにするためである。また、動きの速いシーンでも、この方法を用いても後述するような時間差を小さくしていく方向に抽出を繰り返すことで対応が可能となる。
【００２４】
また、図４に示すマルチ画面表示には、「ＵＰ」ボタン４１と「ＤＯＷＮ」ボタン４２が配置されており、時間差を今以上に大きくして抽出する場合は「ＵＰ」ボタン４１で対応し、時間差を小さくして抽出したい場合は「ＤＯＷＮ」ボタン４２で対応する。具体的には、各画像間の抽出時間の間隔を一律に変更する場合、「ＵＰ」ボタン４１を１回押すことで、図５に示す設定例である（０．１ｓ，０．５ｓ，１．０ｓ，３．０ｓ）といった間隔を、例えば（０．５ｓ，２．５ｓ，５．０ｓ，１５．０ｓ）というように一律５倍の間隔に変更して各画像を抽出し、逆に「ＤＯＷＮ」ボタン４２を１回押すことで、例えば（０．０２ｓ，０．１ｓ，０．２ｓ，０．６ｓ）というように一律１／５倍の間隔に変更して各画像を抽出する。また、各画像間の抽出時間の間隔を段階的に変更する場合では、「ＵＰ」ボタン４１を２回押すことで、図５に示す設定例である（０．１ｓ，０．５ｓ，１．０ｓ，３．０ｓ）の間隔を、例えば（１．０ｓ，２．０ｓ，３．５ｓ，５．０ｓ）というような間隔に変更して各画像を抽出し、逆に「ＤＯＷＮ」ボタン４２を１回押すことで、例えば（０．０５ｓ，０．１ｓ，０．４ｓ，１．２ｓ）といった間隔に変更して各画像を抽出する。
【００２５】
図２に戻り、前記ステップＳ１０５において、表示部１４の画面が上記のようなマルチ画面表示に切り替わった後、操作者が、このマルチ画面上に所望の静止画像が存在しないと判断した場合には、マルチ画面表示された画像のいずれも選択することなく（ステップＳ１０６）、さらに所望の静止画像を探索すべく次の２つの操作方法を選択することになる。即ち、一つは、「ＵＰ／ＤＯＷＮ」ボタン４１，４２を押して、画像Ａを中心に画像の再抽出を行う方法である（ステップＳ１０７，Ｓ１０８）。もう一つは、マルチ画面表示されている画像の中の任意の画像を中心位置に移動して、これを画像Ａとしてその前後の画像の再抽出を行う方法である（ステップＳ１０９、ステップＳ１１０）。
【００２６】
そして、所望の静止画像に近い画像が選択されるまで（ステップＳ１１１）、システム制御部１１は、前記ステップＳ１０７〜前記ステップＳ１１１の処理を繰り返し行う。所望の静止画像に近い画像が選択されると（ステップＳ１１１）、その選択画像に、図３に示すような「ＯＫ」ボタン３１と「Ｒｅ−ｓｅｌｅｃｔ」ボタン３２による条件判断表示を加えた画像を表示し（ステップＳ１１２）、操作者に対して、この選択画像を所望の静止画像そのものであるとして保存するか、或いはさらに所望の静止画像の再抽出を行うかの判断を促す（ステップＳ１１３）。再抽出の場合は、前記ステップＳ１０７へ戻り、前記ステップＳ１０７〜前記ステップＳ１１３の処理を繰り返し行う。
【００２７】
このようにして操作者は、前記ステップＳ１０７から前記ステップＳ１１３までの処理を繰り返し行うことで、所望の静止画像に近い画像を検出して選択し、さらに絞り込みを続けて、メモリカード２５に保存したい所望の静止画像を見つけ出すようにする。そして、保存したい所望の静止画像を見つけ出したら、その画像の「ＯＫ」ボタン３１を押すことにより（ステップＳ１１３）、処理がステップＳ１１４へ進む。
【００２８】
ステップＳ１１４では、図６に示すような、ファイルの大きさやファイルの種類と、保存の最終確認のためのＹＥＳ／ＮＯボタン６１，６２とが示された画面６０を表示する（ステップＳ１１４）。そして、操作者が画面６０において、ＹＥＳボタン６１を押すと、前記選択画像を記録媒体（メモリカード）２５に記録して（ステップＳ１１５）、処理を終える。
【００２９】
＜実施の形態の利点＞
本実施の形態によれば、再生モードで磁気テープ２０を再生中に、操作者が所望の静止画像が到来したと判断したときに画像取り込みボタン１２aを押し、そのとき取り込まれた画像を基準にして、その前後の静止画像を任意の時間間隔毎に抽出してマルチ画面で表示するので、所望の静止画像が属する範囲を容易に検出することができる。
【００３０】
そして、前記任意の時間間隔は、基準の静止画像から遠くに行くほど段階的に大きくなるように設定し、その時間間隔をＵＰ／ＤＯＷＮボタン４１，４２の操作回数に応じて変更可能に構成した。このように、静止画像の抽出する時間間隔を段階的に大きくなるようにしているので、動きの遅いシーンの場合では、一定間隔で画像を抽出していく従来の方法に比べて、抽出作業の繰り返し回数が少なくなり、迅速に所望の静止画像を抽出することができる。また、動きの速いシーンの場合でも、前記時間間隔をＤＯＷＮボタン４２を用いて小さくする方向で静止画像の抽出作業を繰り返すことにより、容易に所望の静止画像を抽出することができる。
【００３１】
［第２の実施の形態］
第２の実施の形態は、上記第１の実施の形態において、抽出した画像を２つ選択すると、その画像間の再生表示を行うようにしたものである。
【００３２】
図７は、本発明の第２の実施の形態に係る動作を示すフローチャートであり、ＣＰＵ１１ａが、このフローに基づいた制御プログラムをＲＯＭ１１ｂから読み出して実行する。なお、図２と共通の要素には同一の符号を付し、その説明を省略する。
【００３３】
まず、再生モードで、磁気テープ２０に記録されている映像信号を表示部１４の画面に再生し（ステップＳ１０１）、その後は、図２のステップＳ１０２からステップＳ１０４までの処理と同様の処理を経て、マルチ画面表示を行う（ステップＳ１０５）。このマルチ画面表示は、図８に示すように、「ＵＰ／ＤＯＷＮ」ボタン４１，４２に加えて、「ＰＬＡＹ２」ボタン８１が配置されている。
【００３４】
操作者が、このマルチ画面上に所望の静止画像が存在しないと判断した場合には、マルチ画面表示された画像のいずれも選択することなく（ステップＳ１０６）、システム制御部１１は、処理をステップＳ２０１へ進めて、「ＰＬＡＹ２」ボタン８１が押されたか否かを判定する。操作者によって「ＰＬＡＹ２」ボタンが押されて、さらに、再生したい２画像がマルチ画面表示から選択された場合には（ステップＳ２０２）、２つの画像間の時間差が一定時間以上であるかを判定する（ステップＳ２０３）。このとき、２つの画像間の時間差が小さいと再生しても瞬時に終ってしまうため、一定時間以上の時間差がないと警告を表示する（ステップＳ２０４）。
【００３５】
その後、前記２つの画像間の再生画を表示部１４の画面全体で表示し（ステップＳ２０５）、図２のステップＳ１０７からステップＳ１１５までの処理と同様の処理を行って、処理を終える。
【００３６】
本実施の形態によれば、選択した２つの画像間の再生画像を表示することができるので、所望の静止画像を、よりきめ細かく且つ迅速に探索することができる。
【００３７】
なお、上記第１及び第２の実施の形態によれば、所望の静止画像を確定し再生をスタートする際、又は所望の静止画像の抽出中に抽出を取りやめて再生をスタートする際は、その時点で選択している画像から再生をスタートするように構成することも可能である。
【００３８】
また、最終的に抽出した所望の静止画像に対応する動画像中の位置にタグを付けて、この動画像を記録するように構成することも可能である。
【００３９】
本発明の目的は、実施形態の機能を実現するソフトウェアのプログラムコードを記録した記憶媒体を、システム或いは装置に供給し、そのシステム或いは装置のコンピュータ（又はＣＰＵやＭＰＵ等）が記憶媒体に格納されたプログラムコードを読み出して実行することによっても達成される。
【００４０】
この場合、記憶媒体から読み出されたプログラムコード自体が前述した実施の形態の機能を実現することになり、そのプログラムコード及び該プログラムコードを記憶した記憶媒体は本発明を構成することになる。
【００４１】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。又は、プログラムコードをネットワークを介してダウンロードしてもよい。
【００４２】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部又は全部を行い、その処理によって前述した実施形態の機能が実現される場合も含まれる。
【００４３】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれる。
【００４４】
この場合、上記プログラムは、該プログラムを記憶した記憶媒体から直接、又はインターネット、商用ネットワーク、若しくはローカルエリアネットワーク等に接続された不図示の他のコンピュータやデータベース等からダウンロードすることにより供給される。
【図面の簡単な説明】
【００４５】
【図１】第１の実施の形態に係る画像再生装置の構成を示すブロック図である。
【図２】第１の実施の形態に係る動作を示すフローチャートである。
【図３】抽出画像の画面全体表示図である。
【図４】第１の実施の形態に係るマルチ画面表示時の画面表示図である。
【図５】前後の画像の抽出時間を示す概念図である。
【図６】保存の最終確認画面を示す画面表示図である。
【図７】第２の実施の形態に係る動作を示すフローチャートである。
【図８】第１の実施の形態に係るマルチ画面表示時の画面表示図である。
【符号の説明】
【００４６】
１１  システム制御部
１２  操作部
１３  信号処理部
１４  表示部
１５  再生部
２１  テープドラム機構
２２  機構制御部
【図１】
2006333216.tif 000003
【図２】
2006333216.tif 000004
【図３】
2006333216.tif 000005
【図４】
2006333216.tif 000006
【図５】
2006333216.tif 000007
【図６】
2006333216.tif 000008
【図７】
2006333216.tif 000009
【図８】
2006333216.tif 000010